(57)【要約】【課題】着脱容易で装着時の携帯性や使用感を損なわずかつ画像表示画面への外光を効果的に遮蔽し得る表示画面フードシステムを簡単な構成かつ低コストで提供する。【解決手段】背面外部に表示画面１６を有するカメラ１０と、帯状の素材からなる帯状部材２ｂと、該帯状部材の一部を表示画面の周縁の少なくとも一辺に沿って配置しかつ該表示画面に対して垂直に起立した状態でカメラに取り付けられる係合手段３ａとを有するストラップ２とを具備する。【選択図】図１
2010249943.tif 000002
【特許請求の範囲】
【請求項１】
背面外部に表示画面を有するカメラと、
帯状の素材からなる帯状部材と、該帯状部材の一部を上記表示画面の周縁の少なくとも一辺に沿って配置しかつ該表示画面に対して垂直に起立した状態で上記カメラに取り付けられる係合手段とを有するストラップと、
を具備することを特徴とする表示画面フードシステム。
【請求項２】
上記表示画面の上記周縁の一辺には、上記係合手段と係合する係合部を有することを特徴とする請求項１に記載の表示画面フードシステム。
【請求項３】
カメラに用いられ、帯状の素材からなり、該帯状の一部が上記カメラの表示画面の少なくとも周縁の一辺に沿って該表示画面に対し垂直に起立するように取り付けられる係合手段を有することを特徴とするストラップ。
【請求項４】
上記ストラップの帯状の一部は、他の部分より幅広となっていて、該幅広部分が上記起立部分となっていることを特徴とする請求項３に記載のストラップ。
【請求項５】
画像を外部に表示するための画像表示画面を有し、該画像表示画面の少なくとも周縁の一部に帯状のストラップの一部を該表示画面の少なくとも周縁の一辺に沿って該表示画面に対し垂直に起立するように取り付けるための係合手段を有することを特徴とするカメラ。
【請求項６】
上記係合手段は、上記画像表示画面の左右に一対の係合部を有することを特徴とする請求項５に記載のカメラ。
【発明の詳細な説明】
【技術分野】
【０００１】
この発明は、ストラップ及びカメラからなる表示画面フードシステムと、この表示画面フードシステムに適用されるストラップ及びカメラ、詳しくは背面外部に画像表示画面を有するカメラと、このカメラに取りつけられるストラップとからなる表示画面フードシステムに関するものである。
【背景技術】
【０００２】
従来、撮影光学系により結像された光学像を光電変換素子等によって順次画像信号に変換し、得られた画像信号を所定の形態の画像データとして記録媒体に記録し得ると共に、この記録媒体に記録された画像データを画像として再生表示したりカメラの各種の設定等を行うためのメニュー画面を表示し得る画像表示装置、例えば液晶表示装置（ＬＣＤ）等を備えて構成されたデジタルカメラやビデオカメラ等の撮影装置（以下、これらを総称してカメラという）が一般に実用化され、広く普及している。
【０００３】
このような形態の従来のカメラにおいては、光電変換素子等によって取得された画像信号を画像表示装置の画像表示画面に順次表示させることによって、該画像表示画面をビューファインダの代わりに使用できるように構成したものがある。この画像表示装置は、通常の場合、その画像表示画面がカメラの背面側の外部に向けて配設されているのが普通である。
【０００４】
したがって、このような構成の従来のカメラを、例えば日中野外等で使用する場合には、外部に向けて設けられた画像表示画面に向けて太陽光等が入射する状況が多々ある。この場合、画像表示画面に表示される観察画像や再生画像，メニュー表示等が見え難くなってしまうことになる。
【０００５】
このような状況になったとき、従来のカメラでは、画像表示画面の周囲を手で覆って画像表示画面への入射光を遮ったり、あるいは、実案登録第３０７９２５３号公報等によって開示されているような形態の別ユニットからなる専用アクセサリである遮光フードを利用して、画像表示画面への入射光を遮蔽するといったことが行われている。
【先行技術文献】
【特許文献】
【０００６】
【特許文献１】実案登録第３０７９２５３号公報
【発明の概要】
【発明が解決しようとする課題】
【０００７】
ところが、画像表示画面の周囲を手で覆う手段では、カメラを片手で保持することになってしまうので、撮影時のカメラの安定性を保てないという問題点がある。また、カメラの各種設定操作等を行うためには手を離さなければならないので、画面を観察しながら各種の操作を行うことができないという問題点がある。このように、撮影操作時の画像表示画面の遮光を簡易的に使用者の手に頼ることは、そのカメラの使用感や操作性を損ねてしまうことになる。
【０００８】
一方、上記実案登録第３０７９２５３号公報等によって開示されているような専用アクセサリとしての遮光フードを利用すれば、使用者は、撮影のための操作に専念できることになるので至便である。
【０００９】
しかしながら、このような遮光フードは、常に必要となるわけではないので、必要なときにのみ取り付けるとすると、これを着脱する手間がかかってしまう。その上に、遮光フードを使用しない場合には、これを鞄等に収納して持ち歩く必要があるという問題点がある。さらに、このような別ユニットとしての遮光フードを常にカメラに取り付けておくとすると、カメラ自体の携帯性が損なわれてしまうという問題点がある。
【００１０】
本発明は、上述した点に鑑みてなされたものであって、その目的とするところは、背面外部に画像表示画面を有するカメラにおいて、このカメラに取りつけられるストラップを利用することで、極めて簡単な構成によって適宜着脱し得ると共に、装着したときのカメラの携帯性や使用感を損なうことなく、かつ画像表示画面への外部からの有害光の遮蔽を効果的に行い得る遮光フード機能を実現し得る表示画面フードシステムと、この表示画面フードシステムに適用されるストラップ及びカメラを低コストで提供することである。
【課題を解決するための手段】
【００１１】
上記目的を達成するために、本発明による表示画面フードシステムは、背面外部に表示画面を有するカメラと、帯状の素材からなる帯状部材と、該帯状部材の一部を上記表示画面の周縁の少なくとも一辺に沿って配置しかつ該表示画面に対して垂直に起立した状態で上記カメラに取り付けられる係合手段とを有するストラップと、を具備することを特徴とする。
【００１２】
本発明によるストラップは、カメラに用いられ、帯状の素材からなり該帯状の一部が上記カメラの表示画面の少なくとも周縁の一辺に沿って該表示画面に対し垂直に起立するように取り付けられる係合手段を有することを特徴とする。
【００１３】
本発明によるカメラは、画像を外部に表示するための画像表示画面を有し、該画像表示画面の少なくとも周縁の一部に帯状のストラップの一部を該表示画面の少なくとも周縁の一辺に沿って該表示画面に対し垂直に起立するように取り付けるための係合手段を有することを特徴とする。
【発明の効果】
【００１４】
本発明によれば、背面外部に画像表示画面を有するカメラにおいて、このカメラに取りつけられるストラップを利用することで、極めて簡単な構成によって適宜着脱し得ると共に、装着したときのカメラの携帯性や使用感を損なうことなく、かつ画像表示画面への外部からの有害光の遮蔽を効果的に行い得る遮光フード機能を実現し得る表示画面フードシステムと、この表示画面フードシステムに適用されるストラップ及びカメラを低コストで提供することができる。
【図面の簡単な説明】
【００１５】
【図１】本発明の第１の実施形態のストラップ及びカメラからなる表示画面フードシステムを示す外観斜視図
【図２】本発明の第１の実施形態のストラップにおける遮光部材の平面図
【図３】本発明の第１の実施形態のストラップにおける遮光部材の側面図
【図４】本発明の第１の実施形態のカメラの背面外部の一部を上面側から見た概略図
【図５】本発明の第１の実施形態のカメラの背面外部の一部を示す平面図
【図６】本発明の第１の実施形態の表示画面フードシステムの概略斜視図
【図７】本発明の第１の実施形態の表示画面フードシステムを上面側から見た概略図
【図８】本発明の第１の実施形態のストラップの一例を示す平面図
【図９】本発明の第１の実施形態のストラップの他の一例を示す平面図
【図１０】本発明の第２の実施形態のストラップにおける遮光部材の平面図
【図１１】本発明の第２の実施形態のストラップにおける遮光部材の側面図
【図１２】本発明の第２の実施形態のカメラの背面外部の一部を上面側から見た概略図
【図１３】本発明の第２の実施形態のカメラの背面外部の一部を示す平面図
【図１４】本発明の第２の実施形態の表示画面フードシステムの概略斜視図
【図１５】本発明の第２の実施形態の表示画面フードシステムを上面側から見た概略図
【図１６】本発明の第３の実施形態のストラップにおける遮光部材の斜視図
【図１７】本発明の第３の実施形態の表示画面フードシステムを上面側から見た概略図
【図１８】本発明の第４の実施形態の表示画面フードシステムの概略斜視図
【図１９】本発明の第４の実施形態の表示画面フードシステムの側面図
【図２０】本発明の第５の実施形態の表示画面フードシステムの概略斜視図
【図２１】本発明の第５の実施形態の表示画面フードシステムの側面図
【発明を実施するための形態】
【００１６】
以下、図示の実施の形態によって本発明を説明する。
【００１７】
本発明の表示画面フードシステムは、外部に画像表示画面を有するカメラと、このカメラに取り付けられるストラップとによって構成される。即ち、本発明の表示画面フードシステムは、カメラの背面外部の所定の部位に対してストラップの帯状部分を所定の形態で一時的に固定することによって、このストラップの帯状部分が画像表示画面に向けて外部から入射する有害光を遮蔽する遮光フード機能を実現するものである。
【００１８】
なお、以下の説明において、カメラの使用時に被写体に対向する面をカメラの前面というものとする。また、カメラの使用時に使用者が対面する面をカメラの背面というものとする。そして、複数の操作部材のうちシャッターレリーズボタン（図１の符合１５ａ参照）が配設されている面を上面というものとする。さらに、カメラの上面に対向する面を底面というものとする。また、カメラの通常の使用状態でカメラの両側の面をそれぞれ左側面，右側面というものとする。なお、この場合における左右の区別は、カメラの前面に向かって見たときの左右をいうものとする。
【００１９】
［第１の実施形態］
本発明の第１の実施形態の表示画面フードシステムについて、図１〜図８を用いて以下に説明する。
【００２０】
図１は、本発明の第１の実施形態のストラップ及びカメラからなる表示画面フードシステム全体を示している。図２，図３は、図１のストラップにおける遮光部材のみを取り出して示している。図４，図５は、図１のカメラの背面外部の一部であって、画像表示画面とその近傍のみを示している。図６，図７は、図１の表示画面フードシステムの要部、即ちカメラの背面外部の一部（画像表示画面とその近傍のみ）と遮光部材を含むストラップのみを示している。図８は、図１のストラップの形状の一例を示している。
【００２１】
本実施形態の表示画面フードシステム（以下、単にフードシステムと略記する）１は、図１に示すようにカメラ１０と、このカメラ１０に取り付けられるストラップ２とによって構成される。
【００２２】
本実施形態のフードシステム１が適用されるカメラ１０は、撮影光学系により結像された光学像を、ＣＣＤ（Ｃｈａｒｇｅ  Ｃｏｕｐｌｅｄ  Ｄｅｖｉｃｅ；電荷結合素子），ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）等の撮像素子等からなる光電変換素子によって順次画像信号に変換し、これにより得られた画像信号（光電変換素子の出力信号）に対して所定の画像信号処理を施して所定の形態の画像データとして記録媒体に記録し得ると共に、この記録媒体に記録された画像データに基く画像を液晶表示装置（ＬＣＤ）等の画像表示装置を用いて再生表示することができるように構成されたものである。
【００２３】
本カメラ１０は、各種の主要構成部材を内部に有するカメラ本体１１と、このカメラ本体１１の前面に装着され撮影光学系を含んで構成されるレンズ鏡筒１２等を有して構成されている。
【００２４】
カメラ本体１１の外部には、各種の設定操作を行うための複数の操作部材１５と、ストラップ用吊具１４と、画像表示装置の画像表示画面１６と、ファインダ装置１３等がそれぞれ所定の部位に配設されている。
【００２５】
複数の操作部材１５は、例えばシャッターレリースボタン１５ａ等の操作ボタン類若しくはダイヤル類等がある。これらの操作部材１５は、カメラ本体１１の外部であって、特に上面や背面に主に設けられている。
【００２６】
ストラップ用吊具１４は、カメラ本体１１の上面において、両側面寄りの各部位に配設されている。この場合において、ストラップ用吊具１４は、カメラ本体１１に対して一体に固設されている。なお、ストラップ用吊具１４は、例えば環状の金属製部材等が適用される。そして、このストラップ用吊具１４には、帯状のストラップ２の両端が装着される。
【００２７】
カメラ１０のファインダ装置１３は、光学ファインダ装置若しくは電子ビューファインダ（ＥＶＦ）装置である。このファインダ装置１３は、カメラ本体１１の内部において略中央部の上面寄りの所定の位置に配置されている。
【００２８】
カメラ１０の画像表示装置は、例えば液晶表示装置（ＬＣＤ）等が適用される。画像表示装置は、カメラ本体１１の内部において、背面寄りの略中央部に配設されている。そして、カメラ本体１１の背面の所定の部位に形成された開口によって、上記画像表示装置の画像表示画面１６が背面外部に向けて露呈するようになっている。この場合において、画像表示画面１６は、カメラ本体１１の背面の略中央部を含み上記ファインダ装置１３の配設されている位置から見て底面寄りの所定の領域を占めるように配置されている。
【００２９】
画像表示装置は、カメラ１０が撮影モードで動作するときには、光電変換素子によって取得された複数の画像信号を受けて、これを画像表示画面１６に順次表示させ得るように構成されている。これによって、本カメラ１０は、画像表示画面１６をビューファインダの代わりに使用するいわゆるライブビュー機能を有している。また、カメラ１０が再生モードで動作するときには、画像表示装置は、記録媒体に記録済みの画像を画像表示画面１６に再生表示させる画像表示機能を有する。そして、カメラ１０が撮影モードや再生モードで動作する場合には、画像表示装置の画像表示画面１６には、適宜動作モードに応じた各種の設定等を行うためのメニュー画面等を表示させるメニュー表示機能を有する。
【００３０】
またカメラ本体１１の背面外部には、矩形状の画像表示画面１６の周縁部分であって、該画像表示画面１６の左右両側縁部のそれぞれに沿うように、後述する一対の遮光部材３（図１等参照）が係合される被係合部１７が形成されている。この被係合部１７は、カメラ本体１１の背面外部から突出するように、該カメラ本体１１と一体的に形成されている。被係合部１７は、弾性を有する部材によって形成されている。そして、被係合部１７の先端は円柱状に形成されている。なお、被係合部１７は、カメラ本体１１の外装部材と一体に形成するようにしてもよいし、また、カメラ本体１１の外装部材に対して別部材で形成して、これをカメラ本体１１の背面外部に接着等の固定手段によってカメラ本体１１と一体となるように取り付けるような形態でもよい。
【００３１】
ストラップ２は、図８に示すように、該ストラップ２の両端に比較的狭い幅で形成されカメラ本体１１のストラップ用吊具１４に装着される部位である紐状部２ａと、この紐状部２ａに連設され該ストラップ２の略中央部分においてやや幅広に形成されかつ帯状の素材によって形成される布などからなる帯状部材である帯状部２ｂとを有する。このストラップ２には、遮光部材３が装着される。なお、ストラップ２及び遮光部材３の少なくとも片面は、黒色にしておくことが望ましい。
【００３２】
遮光部材３は、図２，図３等に示すように、ストラップ２の帯状部２ｂを挿通させて該帯状部２ｂの一部の領域を保持する保持部３ｂと、この保持部３ｂの一端において、断面が環形状に形成され、その環形状の一部に切り欠きを有する係合部３ａとによって形成されている。この係合部３ａは、後述するようにカメラ本体１１の被係合部１７（図４，図５参照）に係合することでカメラ本体１１に対して該遮光部材３を装着し、その状態を一時的に固定するために設けられる。したがって、係合部３ａ及び被係合部１７は、係合状態となることにより、ストラップ２（の遮光部材３）の一部をカメラ本体１１に取り付け固定するための係合手段として機能している。
【００３３】
上記遮光部材３は、図２に示すように、全体が矩形状に形成されていて、一端縁に上記係合部３ａが形成されている。遮光部材３の上記保持部３ｂは、図３に示すように、ストラップ２の帯状部２ｂが挿通し得るように、断面形状が扁平な矩形状に形成されていて、帯状部２ｂの内法寸法Ｗ１（図２，図３の符合参照）は、ストラップ２の帯状部２ｂの幅寸法Ｗ１（図８参照）と同じか若しくは若干広く（長く）なるように設定されている。また、同様にストラップ２の帯状部２ｂが挿通し得るように、図３に示すように、保持部３ｂの内法寸法Ｗ２（図８参照）は、ストラップ２の帯状部２ｂの厚さ寸法と同じか若しくは厚くなるように設定されている。
【００３４】
また、遮光部材３の係合部３ａは、上述したようにカメラ本体１１の被係合部１７に係合するようになっている。そのために、係合部３ａは一部に切り欠きを有して形成されていて、この切り欠き部位に対して被係合部１７の先端円柱状部位が挿入され、該先端円柱状部位を包み込んだ形態となることで、両者が係合するようになっている。したがって、係合部３ａは、弾性を有する部材によって形成されている。また、係合部３ａの内部には、被係合部１７の先端円柱状部位に対応する円柱状の空間が形成されるように形成されている。
【００３５】
このように形成された遮光部材３は、保持部３ｂにストラップ２の帯状部２ｂを貫通させることで、ストラップ２に対して装着された状態となっている。なお、本実施形態においては、一本のストラップ２に対して遮光部材３を二個設けた例を示している。
【００３６】
このように形成された本実施形態のカメラ１０（のカメラ本体１１）に対して遮光部材３を含むストラップ２が、図６，図７に示すように取り付けられることによって本実施形態のフードシステム１が構成される。
【００３７】
上述したように、遮光部材３の保持部３ｂに対しストラップ２の帯状部２ｂが挿通された状態で、遮光部材３が該ストラップ２に装着されている。この状態において、遮光部材３の係合部３ａがカメラ本体１１の被係合部１７に対して係合されることによって、遮光部材３は、該カメラ本体１１に対して取り付けられる。このとき遮光部材３は、画像表示画面１６に対して垂直に起立した状態で取り付けられる。
【００３８】
なお、係合部３ａを被係合部１７に係合させるには、係合部３ａの切り欠き部位を被係合部１７に押し当てることにより、該切り欠き部位の内部円柱状空間内に被係合部１７の先端円柱状部位を挿入させることによって実現し得る。係合部３ａ及び被係合部１７は、共に弾性を有する部材により形成されているので、両者は弾性変形することにより係合状態となり、かつ係合状態となった後は、その状態が維持されるようになっている。
【００３９】
このように遮光部材３がカメラ本体１１に対して取り付けられると、ストラップ２の帯状部２ｂの一部は、画像表示画面１６の周縁のうち上縁部位に沿って、該画像表示画面１６に対して垂直に起立した状態で配置される。
【００４０】
したがって、画像表示画面１６の周縁のうちの少なくとも一辺（本実施形態では上辺）にストラップ２の帯状部２ｂが、画像表示画面１６の周縁のうちの二辺であって左右両側縁のそれぞれに対向するように一対の遮光部材３が配置される。これによって、ストラップ２の帯状部２ｂ及び遮光部材３は、画像表示画面１６に向けて外部３方向から入射する有害光を遮蔽する。
【００４１】
また、係合部３ａと被係合部１７との係合状態を解除するには、遮光部材３をカメラ本体１１から引き離す方向に引っ張ることで実現し得る。上述したように、係合部３ａと被係合部１７とは弾性を有する部材により形成されているので、遮光部材３をカメラ本体１１から引き離す方向にわずかな力量で引っ張ると、両者は弾性変形し、遮光部材３の係合部３ａから被係合部１７が抜け出る。これにより、遮光部材３は、カメラ本体１１から離脱する。遮光部材３がカメラ本体１１から離脱しても、遮光部材３は、ストラップ２に対して装着された状態であるので脱落するようなことはない。
【００４２】
なお、カメラ本体１１に対して遮光部材３を含むストラップ２を装着したときの状態では、ストラップ２及び遮光部材３の黒色面が、画像表示画面１６が配置される側、即ち内側に向くように配置されるのが望ましい。
【００４３】
以上説明したように上記第１の実施形態によれば、ストラップ２に遮光部材３を装着した状態とし、この状態の遮光部材３をカメラ本体１１に対して取り付けるように構成している。この状態においては、ストラップ２の帯状部２ｂの一部が画像表示画面１６の周縁の少なくとも一辺において、該画像表示画面１６に対して垂直に起立した状態で配置される。これと同時に、一対の遮光部材３は、画像表示画面１６の周縁の左右両側縁において、該画像表示画面１６に対して垂直に起立した状態で配置されるようになる。したがって、極めて簡単な構成によって、画像表示画面１６に向けて外部から入射する有害光を効果的に遮蔽することができる。
【００４４】
ストラップ２にあらかじめ装着された遮光部材３の係合部３ａをカメラ本体１１に設けた被係合部１７に対して装着するのみで、画像表示画面１６への有害光を効果的に遮光するフード機能を実現することができる。
【００４５】
また、フード機能を必要としないときには、遮光部材３をカメラ本体１１から取り外すのみでよい。このとき、取り外された遮光部材３は、ストラップ２の帯状部２ｂに装着された状態が維持されている。しかしながら、この状態で遮光部材３がストラップ２の機能を阻害することがないばかりか、取り外された遮光部材３は、ストラップ２に装着した状態で携帯することができるので、該遮光部材３を別途、鞄やポケット等に収納して持ち運ぶ必要がない。したがって、遮光部材３の携帯時の手間が省くことができると共に、カメラから取り外した状態の遮光部材３を紛失する心配も皆無である。
【００４６】
フード機能を容易に実現し得るアクセサリをカメラと共に確実に携帯することができると共に、フード機能を必要とする時には、極めて簡単な操作のみで取り付けが可能で、すぐにフード機能を実現することができる。
【００４７】
なお、上述の第１の実施形態においては、ストラップ２の帯状部２ｂの幅寸法が同一となるように形成した例を示した。このような形態のストラップ２は、従来一般に用いられている形状のものである。本発明に適用されるストラップの形状としては、これに限ることはなく、他の異なる形状も考えられる。
【００４８】
例えば、図９は、本発明の第１の実施形態のストラップについての変形例であって、帯状部の形状を異なるように構成した他の一例を示している。
【００４９】
この変形例のストラップ２Ａは、帯状部２ｂの略中央部位Ｆの幅寸法Ｗ４を、当該部位に連設される部位であって帯状部２ｂの両端部位の幅寸法Ｗ３に比べて幅広に形成している（Ｗ３＜Ｗ４）。なお、紐状部２ａ等、その他の構成は、上述の第１の実施形態のストラップ２（図８参照）と同様である。
【００５０】
このように形成したストラップ２Ａにおいては、幅広に形成される帯状部２ｂの略中央部位Ｆの領域に遮光部材３が装着される。そして、この遮光部材３をカメラ本体１１に対して取り付けたとき、帯状部２ｂの略中央部位Ｆの領域のうち図９の符合Ｕで示す領域が画像表示画面１６の上縁部位に配置され、図９の符合Ｓで示す領域が画像表示画面１６の左右両側縁部位に配置される。
【００５１】
この構成により、遮光部材を装着したストラップ２Ａをカメラ本体１１に取り付けたときには、より深いフード形状が構成されることになる。したがって、本変形例のストラップ２Ａを用いれば、より高い遮光性を得ることができるという効果を得られる。
【００５２】
また、フード機能を必要としないときには、ストラップ２Ａの幅広に形成される帯状部２ｂの略中央部位Ｆは、肩当て部分に相当することになる。通常の場合、ストラップにおける肩当て部分は、幅広に形成されているほど、使用者の肩にかかる負荷が軽減されることは周知である。したがって、本変形例のストラップ２Ａを、カメラを吊り下げるためのストラップとして使用する場合においても、より利便性を高めることができる。
【００５３】
［第２の実施形態］
次に、本発明の第２の実施形態のフードシステムについて図１０〜図１５を用いて以下に説明する。
【００５４】
図１０，図１１は、本発明の第２の実施形態のストラップにおける遮光部材のみを取り出して示している。図１２，図１３は、本実施形態のカメラの背面外部の一部であって、画像表示画面とその近傍のみを示している。図１４，図１５は、本実施形態のフードシステムの要部、即ちカメラの背面外部の一部（画像表示画面とその近傍のみ）と遮光部材を含むストラップのみを示している。
【００５５】
本発明の第２の実施形態の基本的な構成は、上述の第１の実施形態と略同様である。本実施形態においては、遮光部材３Ａの係合部３Ａａと、カメラ本体１１（図１２，図１５参照）に設けた被係合部１７Ａとのそれぞれの形状を、上述の第１の実施形態において対応する各部材（遮光部材３の係合部３ａ，カメラ本体１１の被係合部１７）の形状に対し異ならせて形成した点が異なるのみである。したがって、本実施形態を説明するのに際しては、上述の第１の実施形態と同様の構成については、同じ符合を用いてその説明を省略し、異なる部位のみについて説明する。
【００５６】
本実施形態の遮光部材３Ａの係合手段としての係合部３Ａａは、図１０，図１１に示すように先端が円柱形状に形成されている。
【００５７】
これに対して、本実施形態のカメラ本体１１の被係合部１７Ａは、図１２に示すように、開口の幅寸法に比して内部空間の幅を若干幅広に形成した断面を有し、図１３に示すように、画像表示画面１６の左右両側縁に沿う方向に延びる溝形状に形成されている。
【００５８】
その他の構成は、上述の第１の実施形態と全く同様である。
【００５９】
このように形成された本実施形態においては、上述の第１の実施形態と同様に、カメラ本体１１に対して遮光部材３Ａを含むストラップ２が、図１４，図１５に示すように取り付けられることによってフードシステムが構成される。なお、本実施形態のフードシステムを構成するのに際して遮光部材３Ａをカメラ本体１１に対して取り付ける場合、若しくはカメラ本体１１に取り付けられた遮光部材３Ａを取り外す場合の手順は、上述の第１の実施形態と略同様である。
【００６０】
以上説明したように上記第２の実施形態によれば、上述の第１の実施形態と全く同様の効果を得ることができる。また、本実施形態に対して、上述の第１の実施形態の変形例に示すストラップ２Ａを適用することも、全く同様に可能である。
【００６１】
さらに、本実施形態においては、カメラ本体１１側に設けられる被係合部１７Ａを溝状の孔部で形成したので、カメラ本体１１の背面外部において外部に向けて突出する部材を設ける必要が無い。したがって、外観デザインをより良好なものとすることができる。
【００６２】
［第３の実施形態］
次に、本発明の第３の実施形態のフードシステムについて図１６，図１７を用いて以下に説明する。
【００６３】
図１６は、本発明の第３の実施形態のストラップに装着された状態の遮光部材の一方のみを示している。図１７は、本実施形態のフードシステムの要部、即ちカメラの背面外部の一部（画像表示画面とその近傍のみ）と遮光部材を含むストラップのみを示している。
【００６４】
本発明の第３の実施形態の基本的な構成は、上述の第１，第２の実施形態と略同様である。本実施形態においては、遮光部材３Ｂの係合部３Ｂａ，３Ｂｃの形状を上述の第１，第２の実施形態において対応する部材（遮光部材３の係合部３ａ）の形状に対し異ならせて形成した点が異なり、カメラ本体１１（図１７参照）に設けた被係合部１７Ａの形状を上述の第１の実施形態の対応部材（カメラ本体１１の被係合部１７）の形状に対し異ならせて形成した点が異なる。なお、被係合部１７Ａの形状は、上述の第２の実施形態の対応部材（カメラ本体１１の被係合部１７Ａ）と同形状である。
【００６５】
したがって、本実施形態を説明するのに際しては、上述の第１，第２の実施形態と同様の構成については、同じ符合を用いてその説明を省略し、異なる部位のみについて説明する。
【００６６】
本実施形態の遮光部材３Ｂの係合手段は、図１６，図１７に示すように、保持部３ｂの一端部の略中央部位に形成される係合部３Ｂａと、この係合部３Ｂａの両端部位に形成される二つの係合部３Ｂｃとによって形成されている。これらの係合部３Ｂａ，３Ｂｃは、先端がそれぞれ半円柱形状に形成されている。この場合において、係合部３Ｂａの先端の半円柱形状の凸方向と、係合部３Ｂｃの先端の半円柱形状の凸方向は、互いに反対方向に突出するように形成されている。
【００６７】
これに対して、本実施形態のカメラ本体１１の被係合部１７Ａは、図１７に示すように、上述の第２の実施形態と同様に形成されている。
【００６８】
その他の構成は、上述の第１の実施形態と全く同様である。
【００６９】
このように形成された本実施形態においては、上述の第１，第２の実施形態と同様に、カメラ本体１１に対して遮光部材３Ｂを含むストラップ２が、図１７に示すように取り付けられることによってフードシステムが構成される。なお、本実施形態のフードシステムを構成するのに際して遮光部材３Ｂをカメラ本体１１に対して取り付ける場合、若しくはカメラ本体１１に取り付けられた遮光部材３Ｂを取り外す場合の手順は、上述の第１，第２の実施形態と略同様であり、取り付け動作によって、被係合部１７Ａの狭い口元において係合部３Ｂａは、図１６に示す矢印Ｂ１方向に撓み、係合部３Ｂｃは、図１６に示す矢印Ｂ２方向に撓む。そして、取り付け完了時には、被係合部１７Ａの溝内では、この変形が無くなり、係合部３Ｂａの突出部、係合部３Ｂｃの突出部が該溝内幅方向に広がることになり、該突出部が被係合部１７Ａの狭い口元の内側で該口元に引っ掛かり、遮光部材３Ｂがカメラ本体１１に取り付けられた状態となる。また、取り外し動作においては、強制的に係合部３Ｂａが図１６に示す矢印Ｂ１方向とは反対方向に撓み、係合部３Ｂｃは図１６に示す矢印Ｂ２方向とは反対方向に撓む。その結果、係合部３Ｂａ，３Ｂｃは被係合部１７Ａの狭い口元から抜去され、遮光部材３Ｂがカメラ本体１１から離脱して取り外された状態となる。
【００７０】
以上説明したように上記第３の実施形態によれば、上述の第１，第２の実施形態と全く同様の効果を得ることができる。また、本実施形態に対して、上述の第１の実施形態の変形例に示すストラップ２Ａを適用することも、全く同様に可能である。
【００７１】
さらに、本実施形態においては、遮光部材３Ｂの係合部（３Ｂａ，３Ｂｃ）は複数に分割して形成され、かつ各係合部（３Ｂａ，３Ｂｃ）の先端形状を半円柱形状で構成したので、カメラ本体１１に対して遮光部材３Ｂを取り付けた状態としたときの安定性を確保しながら、取り付け操作を行うのに際して必要となる力量、即ち係合部（３Ｂａ，３Ｂｃ）を被係合部１７Ａに押し込むようにして挿入する場合の力量、もしくは係合部（３Ｂａ，３Ｂｃ）を被係合部１７Ａから引っ張るようにして取り外す際の力量を共に減少させることができる。
【００７２】
［第４の実施形態］
次に、本発明の第４の実施形態のフードシステムについて図１８，図１９を用いて以下に説明する。
【００７３】
図１８，図１９は、本発明の第４の実施形態のフードシステムの要部、即ちカメラの背面外部の一部（画像表示画面とその近傍のみ）と遮光部材を含むストラップのみを示している。
【００７４】
本発明の第４の実施形態の基本的な構成は、上述の第１の実施形態と略同様である。本実施形態においては、上記第１の実施形態と略同形状の遮光部材３Ｃを一つだけ設け、これに対応させてカメラ本体１１（図１９参照）には被係合部１７Ｃを一つ設けて構成している点が異なる。したがって、本実施形態を説明するのに際しては、上述の第１の実施形態と同様の構成については、同じ符合を用いてその説明を省略し、異なる部位のみについて説明する。
【００７５】
本実施形態の遮光部材３Ｃは、上記第１の実施形態の遮光部材３と略同様に形成されている。上述の第１の実施形態における遮光部材３は、画像表示画面１６の左右両側縁部位に配置していたが、本実施形態における遮光部材３Ｃは、画像表示画面１６の上縁部位に配置するようにしている。この遮光部材３Ｃは、ストラップ２の帯状部が挿通される保持部３ｂと、保持部３ｂの一端に断面が環形状に形成され、その環形状の一部に切り欠きを有する係合部３Ｃａとによって形成されている。
【００７６】
これに対応させてカメラ本体１１には、画像表示画面１６の上縁部位に被係合部１７Ｃが設けられている。この被係合部１７Ｃは、上述の第１の実施形態における被係合部１７と略同形状に形成されている。その他の構成は、上述の第１の実施形態と全く同様である。
【００７７】
このように形成された本実施形態においては、上述の第１の実施形態と同様に、カメラ本体１１に対して遮光部材３Ｃを含むストラップ２が、図１８，図１９に示すように取り付けられることによってフードシステムが構成される。
【００７８】
なお、本実施形態のフードシステムを構成するのに際して遮光部材３Ｃをカメラ本体１１に対して取り付ける場合、若しくはカメラ本体１１に取り付けられた遮光部材３Ｃを取り外す場合の手順は、上述の第１の実施形態と略同様である。
【００７９】
以上説明したように上記第４の実施形態によれば、上述の第１の実施形態と同様の効果を得ることができる。なお、本実施形態においては、画像表示画面１６の上縁部位に遮光部材３Ｃが配置されると、この遮光部材３Ｃの保持部３ｂに挿通されたストラップ２の両端部位が画像表示画面１６の左右両側縁部位に自重により垂れ下がることになる。これにより、ストラップ２の帯状部２ｂが画像表示画面１６の左右両側縁部位に沿うように、かつ該画像表示画面１６に対して垂直に起立した状態で配置されることになる。したがって、これにより、本実施形態においても、上述の各実施形態と同様のフード機能を実現することができる。しかも、本実施形態においては、遮光部材３Ｃを一つのみ設けたので、ほぼ同様のフード機能を実現し得るので、部品点数を減らすことができ構成の簡略化に寄与することができる。
【００８０】
なお、本実施形態に対しても、上述の第１の実施形態の変形例に示すストラップ２Ａを適用することも、全く同様に可能である。
【００８１】
［第５の実施形態］
次に、本発明の第５の実施形態のフードシステムについて図２０，図２１を用いて以下に説明する。
【００８２】
図２０，図２１は、本発明の第５の実施形態のフードシステムの要部、即ちカメラの背面外部の一部（画像表示画面とその近傍のみ）と遮光部材を含むストラップのみを示している。
【００８３】
本発明の第５の実施形態の基本的な構成は、上述の第４の実施形態と略同様である。即ち、本実施形態においては、上述の第４の実施形態と同様に遮光部材３Ｄを一つだけ設け、これに対応させてカメラ本体１１（図２１参照）に被係合部１７Ｄを一つ設けて構成している。しかしながら、本実施形態においては、遮光部材３Ｄの係合部３Ｄａを円柱形状に形成し、カメラ本体１１の被係合部１７Ｄを溝状の孔部で形成している（上記第２の実施形態と同様の形状）点で、上記第４の実施形態と異なる。その他の構成は、上述の第４の実施形態と全く同様である。
【００８４】
このように形成された本実施形態においては、上述の第４の実施形態と同様に、カメラ本体１１に対して遮光部材３Ｄを含むストラップ２が、図２０，図２１に示すように取り付けられることによってフードシステムが構成される。
【００８５】
なお、本実施形態のフードシステムを構成するのに際して遮光部材３Ｄをカメラ本体１１に対して取り付ける場合、若しくはカメラ本体１１に取り付けられた遮光部材３Ｄを取り外す場合の手順は、上述の各実施形態と略同様である。
【００８６】
以上説明したように上記第５の実施形態によれば、上述の第４の実施形態と同様の効果を得ることができる。
【００８７】
また、本実施形態によれば、係合部３Ｄａ及び被係合部１７Ｄの形状を上述の第２の実施形態と同様に形成したので、この点において、上述の第２の実施形態と同様の効果を得られる。
【００８８】
なお、本実施形態に対しても、上述の第１の実施形態の変形例に示すストラップ２Ａを適用することも、全く同様に可能である。
【００８９】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【符号の説明】
【００９０】
１……フードシステム
２，２Ａ……ストラップ
２ａ……紐状部
２ｂ……帯状部
３，３Ａ，３Ｂ，３Ｃ，３Ｄ……遮光部材
３ａ，３Ａａ，３Ｂａ，３Ｂｃ，３Ｃａ，３Ｄａ……係合部
３ｂ……保持部
１０……カメラ
１１……カメラ本体
１２……レンズ鏡筒
１３……ファインダ装置
１４……ストラップ用吊具
１５……操作部材
１５ａ……シャッターレリースボタン
１６……画像表示画面
１７，１７Ａ，１７Ｃ，１７Ｄ……被係合部
【図１】
2010249943.tif 000003
【図２】
2010249943.tif 000004
【図３】
2010249943.tif 000005
【図４】
2010249943.tif 000006
【図５】
2010249943.tif 000007
【図６】
2010249943.tif 000008
【図７】
2010249943.tif 000009
【図８】
2010249943.tif 000010
【図９】
2010249943.tif 000011
【図１０】
2010249943.tif 000012
【図１１】
2010249943.tif 000013
【図１２】
2010249943.tif 000014
【図１３】
2010249943.tif 000015
【図１４】
2010249943.tif 000016
【図１５】
2010249943.tif 000017
【図１６】
2010249943.tif 000018
【図１７】
2010249943.tif 000019
【図１８】
2010249943.tif 000020
【図１９】
2010249943.tif 000021
【図２０】
2010249943.tif 000022
【図２１】
2010249943.tif 000023